(57)【要約】【課題】メモリカード等の可搬型記憶媒体や店頭に設置される画像形成装置に広告宣伝用のような新たな使用形態を提案し、メモリカードに記憶されたデータが秘匿を要するデータであっても手軽に画像出力することができ、使用後にメモリカードのデータが妄りに部外に流出することがないデータ出力装置を提供する。【解決手段】デジタル画像形成装置１は、画像読み取り部２、画像形成部３、給排紙部と、操作部６、メモリカード処理部７から構成されている。画像形成装置１の処理モードが「使い捨てメモリモード」のとき、メモリカード処理部７に装填されたメモリカード６１からデータが読み出され、画像形成部３で出力される。一度出力され使用済みとなったメモリカード６１は、回収部へ搬送され、装置本体内に回収される。【選択図】図３
2007086996.tif 000002
【特許請求の範囲】
【請求項１】
可搬型記憶媒体を装填する手段と、装填した前記可搬型記憶媒体に記憶されたデータを読み出す読み出し手段と、該読み出し手段により読み出した画像データに基づいてデータを出力するデータ出力手段と、該データ出力手段により出力したデータが記憶された前記可搬型記憶媒体を回収する回収手段を備えていることを特徴とするデータ出力装置。
【請求項２】
前記回収手段で回収する可搬型記憶媒体を破壊する破壊手段を備えていることを特徴とする請求項１に記載のデータ出力装置。
【請求項３】
前記可搬型記憶媒体に前記データ出力手段によって出力されていない他のデータがあるか否かを判定し、前記他のデータがない場合、前記可搬型記憶媒体を回収することを特徴とする請求項１または２に記載のデータ出力装置。
【請求項４】
前記回収手段で回収する可搬型記憶媒体の情報を収集する手段を備えていることを特徴とする請求項１乃至３のいずれかに記載のデータ出力装置。
【請求項５】
前記可搬型記憶媒体に記憶された画像データに基づいて画像を記録する画像記録装置であることを特徴とする請求項１乃至４のいずれかに記載のデータ出力装置。
【発明の詳細な説明】
【技術分野】
【０００１】
本発明は、可搬型記憶媒体に記憶されているデータを出力するデータ出力装置に関し、さらに詳しくは、可搬型記憶媒体に記憶された画像データに基づきデータ出力を行い、その後可搬型記憶媒体を回収することが可能な複写機、プリンタ、ファクシミリ、複合機等のデータ出力装置に関する。
【背景技術】
【０００２】
近年普及している携帯情報端末（ＰＤＡ）やデジタルカメラ等において、各種データの保存にメモリカードが用いられていることから、メモリカードに保存されている画像データに基づき画像を形成することができるようにした複写機が知られている（例えば、特許文献１参照）。
【０００３】
また、画像データ等の保存用のメモリカード等の可搬型記憶媒体は年々記憶容量が増加し、記憶容量当たりの価格も年々低下し、かつては高価であった容量のメモリカードも数年後にはきわめて安価になり、場合によっては広告宣伝用の提供物等として無償あるいは低価格で消費者に配布することも可能なまでになっている。
【０００４】
このような状況から、メモリカード等の可搬型記憶媒体に保存されている画像データに基づき画像形成を行うことができる機能を備えた画像出力装置をコンビニエンスストア等特定の商店の店頭に設置すれば、この画像出力装置によって可搬型記憶媒体に記憶された画像データをプリントアウトし、印刷物として手軽に取得することができる。
【０００５】
ここで、メモリカード等の可搬型記憶媒体が広告宣伝用の提供物等のような場合、そのデータを印刷物として出力してしまえば、メモリカード等の可搬型記憶媒体は使用済みとなって、以降所持する必要がなくなる。
【特許文献１】特開２００１−１５７０１１号公報
【発明の開示】
【発明が解決しようとする課題】
【０００６】
前記したように、メモリカード等の可搬型記憶媒体を例えば広告宣伝用として配布する場合、可搬型記憶媒体に記憶されたデータを特定の商店の店頭等に設置した複合機等の画像出力装置によって印刷物として取得させることにより、記憶媒体の配布者、被配布者双方にとって目的とする宣伝効果を一応達成することができる。
【０００７】
しかしながら、可搬型記憶媒体に限られた商品に関する情報を記録し、限られた消費者に、限られた期間に限って配布するような場合、これらの情報を記録した可搬型記憶媒体はそのデータが一度印刷物として出力され目的を達した後は用済みとなるが、そのデータを可能な限り秘匿して他人に渡らないようにしたい場合がある。
【０００８】
一度印刷物として出力された後の可搬型記憶媒体は、再度必要となることは少なく、返却しなければならないものでもなく、返却されても廃棄されるだけの場合もある。この場合、可搬型記憶媒体に記憶された各種データが思わぬところに流出する恐れがあり、配布者、被配布者にとって不測の事態を引き起こすことも予想される。
【０００９】
また、可搬型記憶媒体の配布者にとってみれば、被配布者にとっては使用済みとなった可搬型記憶媒体であっても、再度異なるデータを書き込んで再使用に供することで、妄りに情報が流出することを防止でき、広告宣伝に要する費用を低減し、エコロジィの点からも好ましい。
【００１０】
さらに、可搬型記憶媒体が配布された際の被配布者、配布場所、配布日時等に関するデータを可搬型記憶媒体に記憶しておけば、それらのデータを収集し、分析することにより、宣伝効果を把握し、今後の営業活動の資料とすることも可能になる。
【００１１】
本発明は、以上のような事情のもとになされたもので、メモリカード等の可搬型記憶媒体を商店の店頭等に設置される複合機等の使用形態に広告宣伝用のような新たな使用形態を提案することを目的とする。
【００１２】
また、メモリカード等の可搬型記憶媒体に記憶されたデータが秘匿を要するデータであっても街中で手軽に画像出力することができ、また画像出力を行った後は可搬型記憶媒体を回収するので、可搬型記憶媒体に記憶されたデータが妄りに部外に流出することがなく、情報セキュリティに優れたデータ出力装置を提供することを目的とする。
【００１３】
また、可搬型記憶媒体を広告宣伝用の媒体として利用する場合に、広告宣伝効果を把握し、今後の営業活動に有用な資料を得るための情報を収集することが可能なデータ出力装置を提供することを目的とする。
【課題を解決するための手段】
【００１４】
第１の技術手段は、可搬型記憶媒体を装填する手段と、装填した前記可搬型記憶媒体に記憶されたデータを読み出す読み出し手段と、該読み出し手段により読み出した画像データに基づいてデータを出力するデータ出力手段と、該データ出力手段により出力したデータが記憶された前記可搬型記憶媒体を回収する回収手段を備えているデータ出力装置であることを特徴とする。
【００１５】
第２の技術手段は、第１の技術手段のデータ出力装置において、前記回収手段で回収する可搬型記憶媒体を破壊する破壊手段を備えていることを特徴とする。
【００１６】
第３の技術手段は、第１または第２の技術手段のデータ出力装置において、前記可搬型記憶媒体に前記データ出力手段によって出力されていない他のデータがあるか否かを判定し、前記他のデータがない場合、前記可搬型記憶媒体を回収することを特徴とする。
【００１７】
第４の技術手段は、第１乃至第３のいずれかの技術手段のデータ出力装置において、前記回収手段で回収する可搬型記憶媒体の情報を収集する手段を備えていることを特徴とする。
【００１８】
第５の技術手段は、第１乃至第４のいずれかの技術手段のデータ出力装置において、前記可搬型記憶媒体に記憶された画像データに基づいて画像を記録する画像記録装置であることを特徴とする。
【発明の効果】
【００１９】
本発明は、メモリカード等の可搬型記憶媒体に記憶された画像データに基づいてデータを出力する手段及びデータを出力した後の、可搬型記憶媒体を回収する回収手段を備えているので、可搬型記憶媒体に記憶されたデータが秘匿を要するデータであっても商店の店頭等で手軽にデータ出力することができ、使用済みとなった可搬型記憶媒体に記憶されたデータが妄りに部外に流出することがなく情報セキュリティに優れたデータ出力装置を提供することが可能になり、メモリカード等の可搬型記憶媒体や店頭に設置される複合機等の使用形態に広告宣伝用のような新たな形態が可能となる。
【００２０】
また、使用済みとなり回収手段で回収する可搬型記憶媒体はパンチングピン等を備えた破壊手段で破壊するので、だれにとっても回収された可搬型記憶媒体のデータを読み出すことはできず、より情報セキュリティに優れたデータ出力装置を提供することが可能となる。
【００２１】
また、可搬型記憶媒体を広告宣伝用の媒体として利用する場合に、回収手段で回収する可搬型記憶媒体の情報を収集する手段を備えているので、営業活動の資料を得るため等の情報を収集することが可能なデータ出力装置を提供することが可能となる。
【発明を実施するための最良の形態】
【００２２】
以下、本発明のデータ出力装置の実施の形態について、図面を参照して説明する。
図１は、本発明の実施形態に係る画像記録装置の内部構造を示す正面図である。
本発明のデータ出力装置は、複写機能、プリンタ機能、ファックス機能、スキャナ機能を有するデジタル画像形成装置（デジタル複写機）１であって、大きく分けて原稿読み取り装置としての画像読み取り部２と、画像形成部３と、給紙部４と、排紙部５と、操作部６、メモリカード処理部７等から構成されている。
【００２３】
図１に示すように、画像読み取り部２は、透明ガラスからなる原稿載置台１１、原稿載置台上へ自動的に原稿を供給する両面対応自動原稿送り装置（ＲＡＤＦ）１２、原稿載置台１１上に載置された原稿の画像を走査して読み取る原稿画像読み取りユニット、すなわちスキャナユニット１３から構成されている。
【００２４】
ＲＡＤＦ１２は、所定の原稿トレイ上に複数枚の原稿を一度にセットし、セットされた原稿を１枚ずつ自動的にスキャナユニット１３の原稿載置台１１上へ送給する公知の装置である。そして、ＲＡＤＦ１２は、使用者の選択に応じて原稿の片面または両面をスキャナユニット１３に読み取らせるように、片面原稿のための搬送経路、両面原稿のための搬送経路、搬送経路切り換え手段等から構成されている。
【００２５】
スキャナユニット１３は、原稿面上を露光するランプリフレクタアセンブリと、原稿からの反射光像を電気的画像信号に変換する光電変換素子（ＣＣＤ）１７に導く第１反射ミラーを搭載した第１走査ユニット１４及び第２、第３反射ミラーを搭載した第２走査ユニット１５、反射光像をＣＣＤ１７上に結像するための光学レンズ体１６から構成される。第１走査ユニット１４は原稿載置台１１に沿って左から右へ一定速度Ｖで走行し、第２走査ユニット１５はＶ／２の速度で同一方向に走行するように走査制御される。
【００２６】
これにより、画像読み取り部２では、ＲＡＤＦ１２とスキャナユニット１３の関連した動作によって、原稿載置台１１上に読み取るべき原稿を順次載置させながら、原稿載置台１１の下面に沿ってスキャナユニット１３を移動させて、原稿載置台１１上に載置された原稿の画像を１ライン毎に順次ＣＣＤ１７に結像させて、原稿画像を読み取る。
【００２７】
原稿画像をスキャナユニット１３で読み取ることにより得られた画像データは、各種処理が施された後、メモリに一旦記憶され、出力指示に応じてメモリから画像データを画像形成部３に出力して、感光体ドラム２２上に可視画像として再現した後、用紙上に画像を転写してトナー像を形成する。
【００２８】
この画像形成部３は、レーザ書き込みユニット（ＬＳＵ）２１及び画像を形成する電子写真プロセス部２０を備えている。レーザ書き込みユニット２１は、メモリから読み出した画像データまたはパーソナルコンピュータ等の外部機器から転送されてきた画像データに応じてレーザ光を出射する半導体レーザ、レーザ光を等角速度偏向するポリゴンミラー、等角速度偏向されたレーザ光が電子写真プロセス部２０の感光体ドラム２２上を等速度で走査するように補正するｆ−θレンズ等を有している。電子写真プロセス部２０は、感光体ドラム２２の周囲に帯電装置２３、現像装置２４、転写装置２５、剥離装置２６、クリーニング装置２７、除電装置を配置し、さらに感光体ドラム２２の下流側に定着装置２８を配置して構成される。
【００２９】
給紙部４は、第１〜３カセット３１〜３３及び手差しトレイ３５を有している。第１カセット３１は、第１のトレイ及び第２のトレイを収容するタンデムトレイで、両トレイを装置本体から同時に引き出し可能となっている。第２カセット３２、第３カセット３３は、それぞれ第３のトレイ、第４のトレイを収容する。給紙搬送部３７，３８は、給紙部４から感光体ドラム２２と転写装置２５との間の転写位置に用紙を搬送するために、給紙ローラ、搬送ローラ、レジストローラを備えている。
【００３０】
この給紙部４における第１〜３カセット３１〜３３内の４つのトレイには、用紙がサイズ毎に積載されて収容されており、使用者が所望するサイズの用紙が収容されているカセットあるいはトレイを選択すると、そのトレイ内の用紙束の上から１枚ずつ送り出され、給紙搬送部３７，３８を経由して電子写真プロセス部２０へ向けて搬送される。
【００３１】
定着装置２８より用紙搬送方向下流側には、用紙排出路２９が設けられており、この用紙排出路２９は排紙部５の排紙搬送路４１と、両面複写のための搬送部４２とに分岐している。
【００３２】
レーザ書き込みユニット２１及び電子写真プロセス部２０において、メモリから読み出された画像データは、レーザ書き込みユニット２１によってレーザ光線を走査させることにより感光体ドラム２２の表面上に静電潜像として形成され、現像装置２４のトナーにより可視像化されたトナー像は給紙部４から搬送された用紙の表面上に転写装置２５により静電転写され、定着装置２８によって定着される。
【００３３】
このようにして画像が形成された用紙は定着装置２８から排紙部５へ送られ、あるいは両面複写のための搬送部４２へと選択的に搬送される。排紙部５に送られた用紙は、必要に応じてソートあるいはステープル処理等の所定の処理が施され、第１排出卜レイ４３または第２排出卜レイ４４にスタックされる。また、両面複写の搬送部４２に送られた用紙は、ここで反転され再び電子写真プロセス部２０に搬送されて、用紙の裏面に画像が形成され、定着後排出される。
【００３４】
操作部６は、入力部５１および表示部５２を備え（図３参照）、表示部５２はドットマトリックスタイプの液晶パネルにより構成されており、本実施形態の画像記録装置として使用者に報知すべき情報を詳細に案内表示できるようになっている。また、この液晶パネルの画面上には透明なタッチパネルが設けられており、液晶パネル上に表示される情報に従ってタッチパネルを操作する。
【００３５】
本発明の実施形態に係る画像形成装置においては、前述したように、画像データはスキャナユニット１３で原稿を読み取ることによって、また、ネットワーク接続された端末機器から得られるが、メモリカード等の可搬型記憶媒体のデータをメモリカード処理部７で読み出して得ることもできる。
【００３６】
図２は、メモリカード処理部の構造を示す概略断面図である。
操作部６に近接した位置に、メモリカード処理部７が設けられており、メモリカード処理部７はメモリカード６１等の可搬型記憶媒体を挿入するスリット６２が形成され、スリット内方に設けられたメモリカード接続部６４のカードスロット６４ａに装填し、メモリカード６１に記憶されたデータを読み出し、メモリカード６１にデータを書き込み、またデータを読み出しまたデータの書き込みが完了したメモリカード６１を、スリット６２から装置本体外に排出し使用者に返却することができる。
【００３７】
また、メモリカード処理部７には、使用済みで使用者に返却する必要がないメモリカード６１を装置本体内に回収するための回収機構、及びメモリカード６１を破壊する破壊機構が設けられており、データが読み出された後のメモリカード６１を破壊して、あるいは破壊せずに回収する。
【００３８】
メモリカード処理部７は、メモリカード収容部６３、メモリカード接続部６４、パンチ穴ユニット６７、回収箱６８等からなり、「通常モード」においては、メモリカード６１は、スリット６２から挿入され、使用後スリット６２から装置本体外へ排出される。また、「使い捨てメモリモード」においては、
カードスロット６４ａに装填されたメモリモードからデータを読み出し、印刷物として出力した後の使用済みのメモリカード６１をパンチ穴ユニット６７で破壊した後、または破壊せずに回収箱６８に回収する。
【００３９】
デジタル画像形成装置１の操作部６の近接位置に形成されたスリット６２と一致するように、搬送路６３ａが形成されたメモリカード収容部６３、カードスロット６４ａを有するメモリカード接続部６４がライン上に配置されている。スリット６２より挿入されたメモリカード６１は、搬送路６３ａに露出する搬送ローラ６３ｂによってメモリカード接続部６４に向かって搬送され、また搬送ローラ６３ｂを逆転することによってスリット６２より排出する。
【００４０】
メモリカード収容部６３は上下方向に移動自在に設けられているが、いずれの処理モードにおいても、常時は上昇位置にあってメモリカード接続部６４と対向しているが、「使い捨てメモリモード」においてメモリカード６１を装置本体内に回収する際は、メモリカード６１を内部に保持したままメモリカード収容部６３を下方向に移動させ下降位置とする。下降位置において、メモリカード収容部６３の搬送路６３ａの延長線上には、メモリカード搬送路６５、搬送ローラ６６、パンチ穴ユニット６７、回収箱６８等が配置される。
【００４１】
（Ｉ）の位置からスリット６２に挿入されたメモリカード６１は、搬送ローラ６３ｂを正転させることによりカードスロット６４ａに装填され（ＩＩ）の位置になり、また搬送ローラ６３ｂを逆転させることにより、カードスロット６４ａから取り外され、（ＩＩＩ）の位置を経てスリット６２外へ排出することができる。メモリカード６１がカードスロット６４ａ内のカードソケットに挿入されると、メモリカード６１に記憶されたデータの読み出し、あるいはデータの書き込みが可能になる。これらの操作は、後述する機器制御部５７によって制御される。
【００４２】
メモリカード６１を回収箱６８に回収する際は、メモリカード収容部６３内の搬送ローラ６３ｂを逆転させ、（ＩＩ）の位置のメモリカード６１をカードスロット６４ａから脱出させ、メモリカード収容部６３内の（ＩＩＩ）の位置に保持させ、その状態でメモリカード収容部６３を下動させ、下降位置にあるメモリカード収容部６３内の搬送ローラ６３ｂを駆動するとともに、搬送ローラ６６を駆動して、（ＩＶ）から（Ｖ）の位置に搬送しパンチ穴ユニット６７に送り込む。
【００４３】
パンチ穴ユニット６７は、例えばメモリカード６１のデータが秘匿性を有する場合に、メモリカード６１自体を破壊し、他人にデータが流出することを防止する際に使用されるもので、例えばパンチングピン６７ａによってメモリカード等の記憶媒体に穴をあけて使用不能にする。破壊した後の（Ｖ）の位置のメモリカード６１は、可動底板６７ｂを下動させて回収箱６８に落下させ（ＶＩ）の位置に回収する。ここで、パンチングピン６７ａによって穴をあけずに回収箱６８に回収すれば、メモリカード６１を再使用することも可能である。なお、これらのメモリカード処理部における各部の動作は、後述する管理部５９の管理のもとに機器制御部５７によって制御される。
【００４４】
なお、本実施の形態において、メモリカード６１をパンチ穴ユニット６７によって穴をあけ使用不能とする代わりに、メモリカード６１に記憶された情報を消去することによっても同様の目的を達することができる。この場合には、メモリカード６１がメモリカード接続部６４に装填された状態でメモリカード処理部によってデータを読み出し、印刷を行った後に、前記データを消去すればよい。
【００４５】
（システム制御図）
図３は、本発明の実施形態に係る画像記録装置の電気的な回路構成を示すブロック図である。
本実施形態に係るデジタル画像記録装置１は、原稿の画像データを読み取る画像読み取り部２と、処理モード等を入力するための操作部６と、画像データの複写物を出力する画像形成部３と、ハードディスク５６と、全体の動作を制御する機器制御部５７と、画像データ等を受信する通信部５８と、機器制御部５７の情報を管理する管理部５９と、メモリカード処理部７等を備えている。
【００４６】
メモリカード処理部７は、メモリカード６１等の可搬型記憶媒体に記憶されているデータの中に印刷部２１によって未だ印刷されていない他のデータがあるか否かを判定する装置を有し、未だに印刷されていない他のデータがない場合、メモリカード６１を回収箱６８に回収し、他のデータがある場合、回収せずスリット６２から装置本体外へ排出するように構成されている。
【００４７】
また、メモリカード６１が例えば広告宣伝用のものであって、そのデータに広告宣伝用の情報を含んでいる場合、回収箱６８に回収するメモリカード６１については、メモリカード接続部６４に装填されているときに、そのデータを読み出して収集することができる。多数のメモリカード６１から広告宣伝用の情報が収集された時点で、データを集計して今後の営業活動等で利用する資料とすることができる。
【００４８】
以下、本実施形態のデータ出力装置の機能を、画像データの流れに基づいて説明する。
デジタル画像形成装置１を複写機として利用する場合には、画像読み取り部２により読み取られた原稿の画像データが、メモリ５３を介して画像形成部３から複写物として出力される。より具体的には、画像読み取り部２にはＣＣＤ１７が備えられており、読み取り位置にセットされた原稿の画像を電子的に読み取ることができる。読み取られた原稿の画像データは、画像処理部で適宜の画像処理が施され、揮発性のメモリ５３上に出力画像として完成され、画像形成部３から出力されて、一旦ハードディスク５６へ記憶される。また、画像読み取り部２には、読み取りのためにセットされる原稿のサイズを検出する原稿検知センサ１８が複数搭載されており、各原稿検知センサ１８からの原稿検出信号に応じて原稿サイズを割り出している。
【００４９】
その後、操作部６の入力部５１から指示された処理モードに基づいて、ハードディスク５６に記憶された画像データが適切なタイミングで順次読み出され、揮発性のメモリ５３に戻される。そして、印刷部（ＬＳＵ）２１への書き込みタイミングに合わせて画像データがメモリ５３から印刷部２１へと転送される。
【００５０】
また、本実施形態に係るデジタル画像形成装置１をネットワーク通信機能を備えたスキャナとして利用する場合には、画像読み取り部２において読み取られた原稿の画像データを、通信部５８からネットワーク７１を介して任意のパーソナルコンピュータ７３へ送信し、またインターネット７２を介してパーソナルコンピュータ７４やインターネットファクシミリ７５等の外部から受信し、また外部へ送信することができる。ここでも、画像読み取り部２に備えられたＣＣＤ１７により原稿の画像を電子的に読み取る。そして、読み取られた原稿の画像データは、揮発性のメモリ５３上に出力画像として完成され、一旦ハードディスク５６へ記憶される。その後、再びハードディスク５６から揮発性のメモリ５３に送られ、操作部６を介して指示された送信先情報（送信先アドレス情報）に基づいて通信部５８から目的の送信先へと送信される。
【００５１】
次に、デジタル画像形成装置１を用いて広告宣伝用として配布されたメモリカードのデータを印刷物として出力する場合には、前記した複写機の場合に原稿の画像データを画像読み取り部２により読み取ったのに代えて、メモリカード処理部７によって読み出し、画像処理部で適宜の画像処理が施され、揮発性のメモリ５３上に出力画像として完成され、画像形成部３から出力されて、一旦ハードディスク５６へ記憶される。その後の処理は複写機の場合と全く同様である。
【００５２】
（データを出力し、メモリカードを回収する際の処理）
図４は、メモリカードのデータを出力し、メモリカードを回収する際の処理を示すフローチャートである。
例えば広告宣伝用として配布されたメモリカードを特定の商店の店頭に設置されたデジタル画像形成装置で印刷物として取得しようとする場合、操作者はデジタル画像形成装置の操作部から処理モードを「使い捨てメモリモード」に設定し（ステップ１）、メモリカードをデジタル画像形成装置に形成されたスリットに挿入してメモリカード接続部に装填し、メモリカード処理部によって記憶されたデータを読み出す（ステップ２）。ここで、読み出した画像データを表示装置に表示することもできる。
【００５３】
次に、操作部６のプリントキーが操作されると（ステップ３−Ｙｅｓ）、画像データに基づき画像形成部で印刷動作が開始され、印刷物として出力される（ステップ４）。全ての印刷が終了すると（ステップ５−Ｙｅｓ）、メモリカードをメモリカード接続部のカードスロットから取り出した後、パンチ穴ユニットに送り出しメモリカードを破壊し、メモリカードからデータの読み出し及び書き込みができないように無効化した後（ステップ６）、回収箱に回収し（ステップ７）、処理を終了する。
【００５４】
以上の実施の形態においては、画像記録装置がデジタル画像形成装置である例について説明してきたが、本発明はこれに限られるものではなく、複写機、プリンタ、ファクシミリ、複合機等画像データに基づいてデータを出力する装置に実施することが可能であり、また、可搬型記憶媒体がメモリカードである例について説明してきたが、可搬型記憶媒体としては、スマートメディア（登録商標）、コンパクトフラッシュ（登録商標）等のメモリカードに加え、ＣＤ−ＲＯＭ、ＭＯディスク、フロッピィ（登録商標）ディスク等の多くの種類の可搬型記憶媒体に適用することが可能である。
【図面の簡単な説明】
【００５５】
【図１】本発明の実施形態に係る画像記録装置の内部構造を示す正面図である。
【図２】メモリカード処理部の構造を示す概略断面図である。
【図３】本発明の実施形態に係る画像記録装置の電気的な回路構成を示すブロック図である。
【図４】メモリカードのデータを出力し、メモリカードを回収する際の処理を示すフローチャートである。
【符号の説明】
【００５６】
１…デジタル画像形成装置（複合機）、２…画像読み取り部、３…画像形成部、４…給紙部、５…排紙部、６…操作部、７…メモリカード処理部、１１…原稿載置台、１２…両面対応自動原稿送り装置（ＲＡＤＦ）、１３…原稿画像読み取りユニット（スキャナユニット）、１７…光電変換素子（ＣＣＤ）、２０…電子写真プロセス部、２１…レーザ書き込みユニット（ＬＳＵ）、２２…感光体ドラム、２３…帯電装置、２４…現像装置、２５…転写装置、２６…剥離装置、２７…クリーニング装置、２８…定着装置、３１〜３３…第１〜第３カセット、３５…手差しトレイ、４３…第１排出卜レイ、４４…第２排出卜レイ、５１…入力部、５２…表示部、５３…メモリ、５４…画像処理部、５６…ハードディスク、５７…機器制御部、５８…通信部、５９…管理部、６１…メモリカード、６２…スリット、６３…メモリカード収容部、６３ａ…メモリカード搬送路、６３ｂ…搬送ローラ、６４…メモリカード接続部、６４ａ…カードスロット、６５…メモリカード搬送路、６６…搬送ローラ、６７…パンチ穴ユニット、６７ａ…パンチングピン、６７ｂ…可動底板、６８…回収箱、７１…ネットワーク、７２…インターネット、７３…パーソナルコンピュータ、７４…外部パーソナルコンピュータ、７５…インターネットファクシミリ。
【図１】
2007086996.tif 000003
【図２】
2007086996.tif 000004
【図３】
2007086996.tif 000005
【図４】
2007086996.tif 000006